(57)【特許請求の範囲】
【請求項１】
給紙部と、該給紙部により給紙される印刷用紙に印刷を行う印刷部と、該印刷部で印刷された印刷用紙が排紙される排紙部とを備え、印刷用紙に処理を行う処理装置が取付け可能な取付け機構を備えた印刷機において、該取付け機構は係合バーを有する取付け部材とフックとレールとを有し、該取付け部材は該処理装置を載置可能な水平位置と、該処理装置の作業位置との間を回動により位置変更可能に設けられており、該作業位置で該係合バーと該フックとの係合により該取付け部材が位置決めされ、該レールに対してスライド可能とすることを特徴とする印刷機。
【請求項２】
該取付け部材の回動を制動する弾性部材が設けられていることを特徴とする請求項１記載の印刷機。
【発明の詳細な説明】
【技術分野】
【０００１】
本発明は印刷機に関するものであり、特に印刷前後の印刷用紙に対し、追い刷りや光沢加工、乾燥などの処理を行う処理装置の取付け機構に関する。
【背景技術】
【０００２】
給紙部により給紙された印刷用紙に印刷部で印刷を行い、印刷された印刷用紙を搬送して排紙する排紙部を備えた印刷機が知られている。印刷部で印刷された印刷用紙には、処理装置にて追い刷りや光沢加工、乾燥などの処理が行われる場合がある。例えば特許文献１にはこのような処理装置を備えた印刷機の開示がある。特許文献１の構成においては、ＬＥＤユニットがアダプタユニット及び取付部を介してセンタードラムに対向するように設けられる。
【先行技術文献】
【特許文献】
【０００３】
【特許文献１】特開２０１１−５７８６号公報
【発明の概要】
【発明が解決しようとする課題】
【０００４】
このような水平方向の設置においては、取付け作業に問題はないが、斜め方向に取付ける必要のある場合もある。例えば、チェーン搬送機構を使用した排紙部に乾燥装置を設置する場合、紙積みのためにチェーン搬送機構は斜め上方に傾斜しているので、ここを搬送される印刷用紙に垂直に対向すべく乾燥装置を取付けようとすると、乾燥装置を斜めに取付ける必要がある。乾燥装置は一般に直方体状であり、これを斜めに取付けるべく重い乾燥装置を斜めに保持して印刷機の開口部に挿入するのは作業性の面で改善の余地があった。
【０００５】
本発明はこのような問題を解決するためになされたもので、その目的は、容易に取付け作業を行うことのできる、印刷機における処理装置の取付け機構を提供することである。
【課題を解決するための手段】
【０００６】
本発明は上記目的を達成するため、給紙部と、該給紙部により給紙される印刷用紙に印刷を行う印刷部と、該印刷部で印刷された印刷用紙が排紙される排紙部とを備え、印刷用紙に処理を行う処理装置が取付け可能な取付け機構を備えた印刷機において、該取付け機構は係合バーを有する取付け部材とフックとレールとを有し、該取付け部材は該処理装置を載置可能な水平位置と、該処理装置の作業位置との間を回動により位置変更可能に設けられており、該作業位置で該係合バーと該フックとの係合により該取付け部材が位置決めされ、該レールに対してスライド可能とすることを特徴とする。
【０００７】
また、該取付け部材の回動を制動する弾性部材が設けられていることを特徴とする。
【発明の効果】
【０００８】
本発明の印刷機においては、取付け機構によって、処理装置を容易に取付けることが可能となり、作業性のよい印刷機を得ることができる。
【図面の簡単な説明】
【０００９】
【図１】本発明に係る処理装置の取付け機構を備えた印刷機の概略側面図である。
【図２】処理装置の取付け機構が配置された排紙部の一部省略側面図である。
【図３】処理装置の取付け機構が配置された排紙部の一部省略側面図である。
【図４】処理装置の取付け機構を示す一部省略平面図である。
【図５】処理装置の取付け機構を示す一部省略平面図である。
【発明を実施するための形態】
【００１０】
次に本発明を実施するための形態について図面を参照して説明する。
【００１１】
図１は本発明に係る乾燥装置を供えた印刷機の一例である。図１の概略側面図に示す通り、本実施例に係る印刷機は枚葉オフセット印刷機である。この印刷機は、紙積み台からフィーダ装置や用紙分離装置等により一枚ずつ印刷用紙としての枚葉紙Ｐを送り出すための給紙部Ａと、この給紙部Ａからの枚葉紙Ｐに印刷を行うための印刷部Ｂと、枚葉紙Ｐを排紙するための排紙部Ｃを備えている。ここで印刷部Ｂは、５色の印刷が行えるように５台の印刷ユニット５を備えた印刷部Ｂとしているが、５色以外の色、つまり１色又は２色以上の印刷が行える印刷部であってもよい。又、印刷機を構成する各部の具体的な構成は図に示されるものに限定されるものではない。
【００１２】
前記印刷ユニット５は、版胴１とゴム胴２とインキローラ群４、そして圧胴３と渡し胴６とを備えている。図示していないが、圧胴３のそれぞれには、送り出されてきた枚葉紙Ｐを爪台と爪とで把持するグリッパを、円周方向の２箇所（１箇所又は３箇所以上でもよい）に備えている。符号７は給紙胴であり、フィーダーボード８、口板９上を搬送される枚葉紙Ｐをスイングアーム１０から受け取り、圧胴３に渡す役割を果たす。給紙胴７、スイングアーム１０にも前記の爪台と爪が設けられている。
【００１３】
排紙部Ｃはグリッパを備えるチェーン搬送装置にて構成されている。すなわち、枚葉紙Ｐの搬送方向前側（下流側）に設けられたスプロケット１４と枚葉紙Ｐの搬送方向後側（上流側）に設けられたスプロケット１３に無端状のチェーン１２が巻回されており、スプロケット１３、１４の回転により、図示しないチェーンガイドに規制された状態でチェーン１２は周回する。
【００１４】
図２〜５に示すように、排紙部Ｃには本発明における処理装置である、乾燥装置２０が設けられている。乾燥装置２０は略直方体状の箱形をしており、上面と側面に取っ手２１を３箇所備えている。また、両側面の高さ方向中央付近に一対のフランジ２２を有する。
【００１５】
乾燥装置２０は具体的には紫外線照射部であり、枚葉紙Ｐの表面にほぼ直交する方向に照射軸を有する複数の発光ダイオードを備えている。発光ダイオードは、枚葉紙Ｐの幅方向に沿って一直線上に所定間隔（等間隔）をおいたものが複数列（例えば５列）配置され、枚葉紙Ｐの幅方向全域に渡って紫外線を照射できるようになっている。
【００１６】
排紙部Ｃには乾燥装置２０を印刷機内へ取付けるための、本発明における取付け機構が設けられている。符号３０は取付け部材であり、乾燥装置２０を載置可能な形状として構成されている。取付け部材３０は軸Ｏを中心に回動可能に構成される。また、取付け部材３０の図２中右下方には、一端を印刷機の左右のフレームＦ、Ｆに軸止された、本発明における弾性部材であるガスダンパー３１の他端が軸止されている。ガスダンパー３１は常時図２のように伸長する方向へ付勢作用が働いており、図２はその伸長端である。また、取付け部材３０の図２中右端には係合バー３２が固定されている。
【００１７】
図４、５に示すように、印刷機の左右のフレームＦ、Ｆ間には一対のレール５１、５１が架け渡されており、このレール５１、５１には複数のコロ５２、側面ガイドコロ５３、そして規制プレート５４が設けられている。また、一方のフレームＦにはフック５５が回動可能に設けられている。フック５５は図示しないバネにより軸５５ａを中心に図２中反時計方向に付勢されている。
【００１８】
このように構成された印刷機における処理装置の取付け機構の動作について説明する。図２、４に示すように、オペレータはまず乾燥装置２０の取っ手２１等を把持して取付け部材３０に載置する。図２に示す取付け部材３０の位置が本発明における水平位置である。そして乾燥装置２０を取っ手２１等を把持して下方に押す。すると取付け部材３０は乾燥装置２０の重量とオペレータの押し付け力により、軸Ｏを中心に図２中時計方向に回動する。この時、ガスダンパー３１の作用により緩やかに回動作業を行うことができる。
【００１９】
取付け部材３０が回動していくと、係合バー３２がフック５５の傾斜部５５ｂに当接すると、フック５５は図示しないバネの付勢力に抗して図２中時計方向に回動する。更に取付け部材３０が回動すると、図３のように係合バー３２がフック５５の係合部５５ｃに係合することにより取付け部材３０の回動が停止し、取付け部材３０の位置決めがされる。
【００２０】
この位置において、乾燥装置２０は印刷機内へスライド取付け可能な位置に設置される。すなわち、乾燥装置２０のフランジ２２はレール５１のコロ５２と規制プレート５４間に位置し、乾燥装置２０の図４中上下一対の側面は側面ガイドコロ５３に当接可能な位置に位置する。この図３に示す取付け部材３０の位置が本発明における作業位置（乾燥装置２０が紫外線照射可能な位置）である。
【００２１】
そしてオペレータは乾燥装置２０の図４中右端の取っ手２１等を把持して印刷機内へ乾燥装置２０をスライドさせる。すると乾燥装置２０はコロ５２、規制プレート５４、側面ガイドコロ５３にガイドされながらスムーズに印刷機内へ取付けられる。この状態で図示しないロック装置を使用し、乾燥装置２０のスライド方向への移動を規制し、図示しない電源コードや水冷パイプを乾燥装置２０に接続してセッティング作業が行われる。また、前述の乾燥装置２０のスライド移動により、フレームＦに設けられた図示しないスイッチに乾燥装置２０の図示しないスイッチが係合することにより、乾燥装置２０が照射可能となるよう、乾燥装置２０の照射を制御する制御部に信号が送信される。
【００２２】
乾燥装置２０を取り外す場合、フック５５を図３中２点鎖線で示すように時計方向に回動させる。すると、ガスダンパー３１の作用により、取付け部材３０は軸Ｏを中心に図２の位置まで回動復帰する。このように、処理装置の取付け、取り外し作業が容易に行えるようになるのである。
【００２３】
尚、本発明は、前記実施形態に限定されるものではなく、本発明の要旨を逸脱しない範囲で種々の変更が可能である。例えば前述の実施形態では、処理装置として乾燥装置が用いられたが、これに限らず、インクジェットによる追い刷り装置やキャスティング装置、ニスコータなどの光沢加工装置においても上記と同様、本発明を適用可能である。
【産業上の利用可能性】
【００２４】
本発明に係る印刷機は、処理装置の取付け機構を有する印刷機において極めて有用である。
【符号の説明】
【００２５】
２０…乾燥装置、２１…取っ手、２２…フランジ、３０…取付け部材、３１…ガスダンパー、３２…係合バー、５１…レール、５２…コロ、５３…側面ガイドコロ、５４…規制プレート、５５…フック、５５ｂ…傾斜部、５５ｃ…係合部、Ｃ…排紙部、Ｆ…フレーム、Ｏ…軸
【図１】
0005931565.tif 000002
【図２】
0005931565.tif 000003
【図３】
0005931565.tif 000004
【図４】
0005931565.tif 000005
【図５】
0005931565.tif 000006